【事件の表示】
　特願２００６−　３６２０３「アモルファスシリコンＬＣＤのゲートスイッチ装置」拒絶査定不服審判事件〔平成１８年１２月　７日出願公開、特開２００６−３３０６８２〕について、次のとおり審決する。
【結　論】
　本件審判の請求は、成り立たない。
【理　由】
１　手続の経緯
　本願は、平成１８年２月１４日（特許法第４３条の２第１項に規定するパリ条約の例による優先権主張　２００５年５月２５日（ＴＷ）台湾）の特許出願であって、平成２１年７月２７日付けで手続補正がなされたが、同年１２月９日付けで拒絶査定がなされ、これに対し、平成２２年３月１７日に拒絶査定不服審判の請求がなされたものである。
　
２　本願発明
　平成２１年７月２７日付け手続補正により補正された明細書、特許請求の範囲及び図面の記載からみて、本願の請求項１に係る発明（以下「本願発明」という。）は、特許請求の範囲の請求項１に記載された次のとおりのものであると認める。
　
「　ゲート線に適合され、複数のサブゲート線をスイッチングするためのＬＣＤのゲートスイッチ装置であって、
　複数の第１のスイッチと、複数の第２のスイッチとを備え、
　前記第１のスイッチの各々は、スイッチング信号を受け取るための第１端部と第２端部とを有し、
　前記第１のスイッチの各々の前記第１端部は前記ゲート線に接続され、前記第１のスイッチの各々の前記第２端部は、対応する前記サブゲート線に一対一で接続され、
　前記スイッチング信号は、前記第１端部と前記第２端部との電気的接続部をオンまたはオフし、
　前記第２のスイッチの各々は、反転スイッチング信号を受け取るための第３端部と第４端部とを有し、
　前記第２のスイッチの各々の第３端部は、対応する前記第１のスイッチの前記第２端部に一対一で接続され、前記第２のスイッチの各々の前記第４端部は第１の電圧レベルに接続され、
　前記反転スイッチング信号は、前記第３端部と前記第４端部との間の電気的接続部をオンまたはオフすることを特徴とする、ＬＣＤのゲートスイッチ装置。」
　
３　引用刊行物記載の発明
　原査定の拒絶の理由に引用された、本願の優先日前に頒布された刊行物である特開２００２−２１５１１９号公報（以下「引用刊行物」という。）には、図とともに以下の事項が記載されている（下線は審決で付した。）。
　
（１）「【特許請求の範囲】
【請求項１】　
アクテイブマトリックスデイスプレイのゲート制御線Ｇ_１〜Ｇ_Ｎを駆動するゲート制御線駆動回路であつて、ゲート制御線はＬ個のグループに等分されており、ゲート制御線制御論理回路と、ゲート制御線制御論理回路により制御され、各タイムスロットにおいて、駆動線Ｄ_１〜Ｄ_Ｋ（Ｌ＊Ｋ＝Ｎ）をスキャンして駆動線を順次駆動する第１レベルシフターモジュールと、ゲート制御線制御論理回路により制御され、各タイムフレームにおいて、Ｌ個のグループをスキャンしてＬ個のグループを順次選択する第２レベルシフターモジュールと、駆動線Ｄ_１〜Ｄ_Ｋを選択されたグループのゲート制御線に接続し、選択されないグループのゲート制御線を所定の電源線に接続するマルチプレクサと、を備えることを特徴とするゲート制御線駆動回路
【請求項２】　請求項１に記載のゲート制御線駆動回路であって、ゲート制御線は、ディスプレイパネル上に形成されていることを特徴とするゲート制御線駆動回路。
【請求項３】　請求項１に記載のゲート制御線駆動回路であって、マルチプレクサとゲート制御線は、ディスプレイパネル上に形成されていることを特徴とするゲート制御線駆動回路。
【請求項４】　請求項１に記載のゲート制御線駆動回路であって、マルチプレクサは、複数のＴＦＴトランジスタを有することを特徴とするゲート制御線駆動回路。
・・・
【請求項７】　請求項１に記載のゲート制御線駆動回路であって、
ゲート制御線Ｇ_ｎは、対応する伝送ＴＦＴと対応する接地ＴＦＴを有し、伝送ＴＦＴのドレイン、ソース、ゲートは、それぞれ駆動線Ｄ_ｋ、ゲート制御線Ｇ_ｎ、第２レベルシフターモジュールからの選択線Ｃ_ｌに結合され、接地ＴＦＴのドレイン、ソース、ゲートは、それぞれゲー卜制御線Ｇ_ｎ、所定の電源線、反転された選択線Ｃ_ｌ’に結合されており、［ｎ＝（ｌ−１）＊Ｋ＋ｋ］である
　
（２）「【発明の詳細な説明】
【０００１】
【発明の属する技術分野】本発明はゲート制御線駆動回路及びゲート制御線駆動方法に関する。特に、レベルシフターの数を減少させることができるゲート制御線駆動回路及びゲート制御線駆動方法に関する。」
　
（３）「【０００３】
【発明が解決しようとする課題】図１の回路構造において、各ゲート制御線は、レベルシフターを用いて駆動されなければならないことに注意すべきである。ＴＦＴＬＣＤの分解能が増加するに伴つて、ゲート制御線の数が増加し、レベルシフターの数も増加する。このため、以下の欠点がある。
（１）駆動ＩＣチップ（複数のレベル調節器を有する）のサイズが増大するか、又は駆動ＩＣチップの数が増加する。したがって、駆動ＩＣの製造コストやＰＣＢ（印刷回路基板）の組立コストが増加する。
（２）駆動ＩＣのコストの増加は、ＬＣＤのコストを増加させる。
（３）レベルシフターは、各タイムフレームで一回しか使用されないため、非能率的である。
本発明の目的は、効率的にレベルシフターの数量を減少させ、ＬＣＤの製造コストを低減することができる、新規なゲート制御線駆動回路およびゲート制御線駆動方法を提供することである。」
　
（４）「【０００４】
【課題を解決するための手段】前記目的を達成するため、本発明は、アクティブマトリクスディスプレイ(active matrix display)のゲート制御線Ｇ_１〜Ｇ_Ｎを駆動する駆動回路を提供する。ゲート制御線Ｇ_ｌ〜Ｇ_Ｎは、Ｌ個の群に等分される。駆動回路は、ゲート制御線制御論理回路と、第１レベルシフターモジュールと、第２レベルシフターモジュールと、マルチプレクサとを備える。・・・本発明のマルチプレクサは、ＴＦＴトランジスタにより構成されている。これにより、マルチプレクサは、余分なＩＣを製作することなく、パネルと同時に生産することができる。本発明の長所は、レベルシフターの数を減少させ、ＬＣＤの製造コストを減少させることができることである。本発明の他の長所は、マルチプレクサは、余分なコストなしに、ディスプレイパネルと同時に製造することができることである。本発明の目的、構成、効果は、実施の形態や図面を参照しながら以下の詳細な説明を読むことによってより詳しく理解できる。」
　
（５）「【０００５】
【発明の実施の形態】図３は、本発明のＴＦＴＬＣＤパネルと駆動回路を示す図である。ディスプレイパネル３０は、表示領域１２と、アクティブ素子１４と、垂直信号線１６と、ゲート制御線Ｇ_１〜Ｇ_Ｎと、マルチプレクサ３２を備えている。ゲー卜制御線Ｇ_ｌ〜Ｇ_Ｎを駆動する駆動回路３１は、ゲート制御線制御論理回路３４と、第１レベルシフターモジュール３６と、第２レベルシフターモジュール３８と、ディスプレイパネル３０上のマルチプレクサ３２とを備えている。第１レベルシフターモジュール３６は、Ｋ個のレベルシフターＬＳＤ_ｌ〜ＬＳＤ_Ｋを有し、ゲート制御線制御論理回路３４から発生されるスキャン信号ＳＲ_ｌ〜ＳＲ_Ｋを引き上げて、Ｋ個の駆動線Ｄ_１〜Ｄ_Ｋをスキャン及び駆動する。第２レベルシフターモジュール３８は、［２＊Ｌ］個のレベルシフターＬＳＣ_１、ＬＳＣ_ｌ’〜ＬＳＣ_Ｌ、ＬＳＣ_Ｌ’からなり、ゲート制御線制御論理回路３４で発生された制御信号を引き上げる。選択線Ｃ_１〜Ｃ_Ｌと反転選択線Ｃ_ｌ’〜Ｃ_Ｌ’を介して、第２レベルシフターモジュール３８は、マルチプレクサ３２を制御する。Ｎ、Ｋ及びＬ間の関係は、式（１）で表される。
Ｎ＝Ｌ＊Ｋ　　　　　　　　　　式（１）
【０００６】図４は、図３のマルチプレクサの回路を示す図である。ゲート制御線Ｇ_１〜Ｇ_Ｎは、Ｋ個のゲート制御線を有するＬ個のグループＧＲ_ｌ〜ＧＲ_Ｌに分割される。各ゲート制御線Ｇ_ｎは、対応する伝送ＴＦＴＴＴ_ｎ及び接地ＴＦＴＴＧ_ｎを有している。伝送ＴＦＴＴＴ_ｎのドレイン、ソース及びゲートは、それぞれ、駆動線Ｄ_ｋ、ゲート制御線Ｇ_ｎ及び第２レベルシフターモジュール３８からの選択線Ｃ_ｌに結合されている。一方、接地ＴＦＴＴＧ_ｎのドレイン、ソース及びゲートは、それぞれ、ゲート制御線Ｇ_ｎ、所定の電源線ＶＥＥ及び第２レベルシフターモジュール３８からの反転選択線Ｃ_ｌ’に結合されている。ｎ、ｌ及びｋ間の関係は、式（２）で表される。
ｎ＝（ｌ−１）＊Ｋ＋ｋ　　　　　　　　　式（２）
つまり、
Ｃ_１、Ｃ_１’〜Ｃ_Ｌ、Ｃ_Ｌ’の各ペアは、それぞれ対応するグループＧＲ_ｌ〜ＧＲ_Ｌを有している。ＧＲ_ｌが選択されると、Ｃ_ｌは、相対的に高電圧であるのに対し、Ｃ_ｌ’は相対的に低電圧であり、全てのゲート制御線Ｇ_（Ｋ＊１−Ｋ十１）〜Ｇ_（Ｋ＊１）は、Ｄ_１〜Ｄ_Ｋに接続される。そして、選択されないグループ内の全てのゲート制御線は、電源線ＶＥＥに接続される。
【０００７】図５は、本発明のタイミング図である。画像フレームをスキャンする時間をタイムフレームＴＦとした場合、タイムフレームは、Ｌ個のタイムスロットＴＳｌ〜ＴＳＬに分割される。駆動線Ｄ_ｌ〜Ｄ_Ｋは、タイムスロットにおいて順にスキャンあるいは駆動され、選択線Ｃ_ｌ〜Ｃ_Ｌは、タイムフレームにおいて順に駆動される。すなわち、タイムスロットＴＳｌでは、対応するＣ_ｌを有するグループＧＲ_ｌのみが選択される。グループＧＲ_ｌ内の全てのゲート制御線は、Ｄ_ｌ〜Ｄ_Ｋに接続される。そして、選択されないグループ内の全ての［（Ｌ−１）＊Ｋ］個のゲート制御線は、電源線ＶＥＥに接続される。以上のように、タイムスロットＴＳ_ｌでは、Ｃ_１とＣ_１’によって制御された、ＧＲ_１内のゲート制御線Ｇ_１〜Ｇ_Ｋ上の電気信号は、Ｄ_１〜Ｄ_Ｋ上の電気信号を受信及び追随する。これにより、ゲート制御線Ｇ_１〜Ｇ_Ｋは、順に駆動される。ＧＲｌ内のゲート制御線が第１のタイムスロットＴＳｌにおいてスキヤンされた後、ＧＲ_２内のゲート制御線Ｇ_Ｋ十１、Ｇ_Ｋ十２〜Ｇ_２Ｋが第２のタイムスロットＴＳ２においてスキャンされる。Ｋ個のタイムスロット（タイムフレーム）が経過すると、全てのゲート制御線（Ｇ_ｌ〜Ｇ_Ｎ）がスキヤン及び駆動され、次の画像フレームが、次のタイムスロットで、グループＧＲ_ｌ〜ＧＲ_Ｌからのスキャン及び駆動工程を繰り返すことによって表示される。
【０００８】図６は、本発明の駆動方法を示す図である。まず、Ｋ個の駆動線Ｄ_１〜Ｄ_Ｋが、タイムスロットにおいてスキヤン及び駆動される（ステップ５０）。次に、グループは、タイムフレームにおいて選択される（ステップ５２）。各タイムスロットにおいてグループが選択され、選択されたグループのゲート制御線は、駆動線Ｄ_１〜Ｄ_Ｋに接続される。選択されてないグループの全てのゲート制御線は、電源線ＶＥＥに接続される。上述したように、本発明のＮ個のゲート制御線を駆動するのに用いられるレベルシフターの数Ｓは、式（３）で表される。
Ｓ＝２＊Ｌ＋Ｋ　　　　　　　　　　式（３）
例えば、Ｎ＝６００（６００のゲート制御線）、Ｌ＝６（６グループ）、Ｋ＝１００（＝６００／６）とする。僅か１２２（＝２＊６十１００）個のレベルシフターによって、６００のゲート制御線を駆動することができる。公知の駆動回路と比較して、本発明は、レベルシフターの数を大幅に減少させることができる。式（１）、（３）及び数学計算から、理論上、［Ｌ＝（Ｎ／２）1/2］の時、Ｓは最小値［２＊（２Ｎ）1/2］となる。従つて、Ｌの値を［（Ｎ／２）1/2］に最も近い整数に選択するのが好ましい。」
　
（６）「【０００９】本発明の駆動回路は、個定数のゲート制御線で駆動する時に、レベルシフターの利用率を大幅に増大させる。本発明では、公知の駆動回路と対照的に、少ない数のレベルシフターを使用する。これにより、生産コストを大幅に減少させることができる。特に、レベルシフターの数は、高分解能が必要とされる時に、ゲート制御線の数に伴って増加しない。以上では、本発明の好ましい実施の形態について説明したが、本発明は、前述した実施の形態に限定されるものではない。また、当業者であれば、本発明の要旨を変更しない範囲で種々の変更や、同様の配置を行うことができる。従って、本発明の特許請求の範囲に記載された発明の範囲は、そのような変更や同様の配置の全てを含む最も広い範囲に対応する。」
　
（７）上記（５）（【０００６】）の記載及び図４を踏まえると、上記（１）の請求項７における「ゲート制御線Ｇ_ｎは、対応する伝送ＴＦＴと対応する接地ＴＦＴを有し、伝送ＴＦＴのドレイン、ソース、ゲートは、それぞれ駆動線Ｄ_ｋ、ゲート制御線Ｇ_ｎ、第２レベルシフターモジュールからの選択線Ｃ_ｌに結合され、接地ＴＦＴのドレイン、ソース、ゲートは、それぞれゲー卜制御線Ｇ_ｎ、所定の電源線、反転された選択線Ｃ_ｌ’に結合されており」との事項は、「マルチプレクサ（３２）」の回路が備えている事項であると認められる。
　
　以上の摘記事項を総合すると、引用刊行物には次の発明（以下「引用発明」という。）が記載されているものと認められる。
　
「　アクテイブマトリックスデイスプレイのゲート制御線Ｇ_１〜Ｇ_Ｎを駆動するゲート制御線駆動回路であって、ゲート制御線はＬ個のグループに等分されており、
　ゲート制御線制御論理回路と、
　ゲート制御線制御論理回路により制御され、各タイムスロットにおいて、駆動線Ｄ_１〜Ｄ_Ｋ（Ｌ＊Ｋ＝Ｎ）をスキャンして駆動線を順次駆動する第１レベルシフターモジュールと、
　ゲート制御線制御論理回路により制御され、各タイムフレームにおいて、Ｌ個のグループをスキャンしてＬ個のグループを順次選択する第２レベルシフターモジュールと、
　駆動線Ｄ_１〜Ｄ_Ｋを選択されたグループのゲート制御線に接続し、選択されないグループのゲート制御線を所定の電源線に接続するマルチプレクサと、を備えるゲート制御線駆動回路において、
　前記マルチプレクサの回路において、ゲート制御線Ｇ_ｎは、対応する伝送ＴＦＴと対応する接地ＴＦＴを有し、伝送ＴＦＴのドレイン、ソース、ゲートは、それぞれ駆動線Ｄ_ｋ、ゲート制御線Ｇ_ｎ、第２レベルシフターモジュールからの選択線Ｃ_ｌに結合され、接地ＴＦＴのドレイン、ソース、ゲートは、それぞれゲー卜制御線Ｇ_ｎ、所定の電源線、反転された選択線Ｃ_ｌ’に結合されており、［ｎ＝（ｌ−１）＊Ｋ＋ｋ］であり、
　Ｃ_１、Ｃ_１’〜Ｃ_Ｌ、Ｃ_Ｌ’の各ペアは、それぞれ対応するグループＧＲ_ｌ〜ＧＲ_Ｌを有しており、ＧＲ_ｌが選択されると、Ｃ_ｌは、相対的に高電圧であるのに対し、Ｃ_ｌ’は相対的に低電圧であり、全てのゲート制御線Ｇ_（Ｋ＊１−Ｋ十１）〜Ｇ_（Ｋ＊１）は、Ｄ_１〜Ｄ_Ｋに接続され、そして、選択されないグループ内の全てのゲート制御線は、電源線ＶＥＥに接続される、ゲート制御線駆動回路。」
　
４　対比・判断
　本願発明と引用発明とを対比する。
　
（１）引用発明の「（アクテイブマトリックスデイスプレイのゲート制御線Ｇ_１〜Ｇ_Ｎを駆動する）ゲート制御線駆動回路」が備える「マルチプレクサ」は、「駆動線Ｄ_１〜Ｄ_Ｋを選択されたグループのゲート制御線に接続」するものであるから、
ａ．引用発明の「駆動線（Ｄ_１〜Ｄ_Ｋ）」、「ゲート制御線（Ｇ_１〜Ｇ_Ｎ）」及び「マルチプレクサ」は、それぞれ、本願発明の「ゲート線」、「（複数の）サブゲート線」及び「ゲートスイッチ装置」に相当し、
ｂ．引用発明は、本願発明の「ゲート線に適合され、複数のサブゲート線をスイッチングするためのＬＣＤのゲートスイッチ装置であって」との特定事項を備える。
　
（２）引用発明の「伝送ＴＦＴ」及び「接地ＴＦＴ」は、「ゲート制御線Ｇ_ｎ」に対応するものであるところ、該ゲート制御線は、「Ｇ_１〜Ｇ_Ｎ」とあるように、複数備えられるものであって、「伝送ＴＦＴ」及び「接地ＴＦＴ」も複数備えられるものであることは明らかであるから、
ａ．引用発明の「伝送ＴＦＴ」及び「接地ＴＦＴ」は、それぞれ、本願発明の「第１のスイッチ」及び「第２のスイッチ」に相当し、
ｂ．引用発明は、本願発明の「複数の第１のスイッチと、複数の第２のスイッチとを備え」との特定事項を備える。
　
（３）引用発明のマルチプレクサの回路において、「伝送ＴＦＴのドレイン、ソース、ゲートは、それぞれ駆動線Ｄ_ｋ、ゲート制御線Ｇ_ｎ、第２レベルシフターモジュールからの選択線Ｃ_ｌに結合され」るところ、引用発明の「第２レベルシフターモジュールからの選択線Ｃ_ｌ」からの信号は、本願発明の「スイッチング信号」に相当するといえるから、
ａ．引用発明における伝送ＴＦＴの「ドレイン」及び「ソース」は、それぞれ、本願発明における第１のスイッチの各々が有する「第１端部」及び「第２端部」に相当し、
ｂ．引用発明は、本願発明の「前記第１のスイッチの各々は、スイッチング信号を受け取るための第１端部と第２端部とを有し」、及び「前記第１のスイッチの各々の前記第１端部は前記ゲート線に接続され、前記第１のスイッチの各々の前記第２端部は、対応する前記サブゲート線に一対一で接続され」との特定事項を備える。
　そして、引用発明のマルチプレクサの回路の動作において、「ＧＲ_ｌが選択されると、Ｃ_ｌは、相対的に高電圧であるのに対し、Ｃ_ｌ’は相対的に低電圧であり、全てのゲート制御線Ｇ_（Ｋ＊１−Ｋ十１）〜Ｇ_（Ｋ＊１）は、Ｄ_１〜Ｄ_Ｋに接続される」ところ、Ｃ_ｌは、伝送ＴＦＴ（本願発明の「第１のスイッチ」）のゲートに結合して、「相対的に高電圧である」信号によって、ドレイン（本願発明の「第１端部」）とソース（本願発明の「第２端部」）との間の電気的接続部をオンすることによって、上記のとおりそれぞれに結合された駆動線とゲート制御線を接続するものであると認められるから、
ｃ．引用発明は、本願発明の「前記スイッチング信号は、前記第１端部と前記第２端部との電気的接続部をオンまたはオフし」との特定事項を備える。
　
（４）引用発明のマルチプレクサの回路において、「接地ＴＦＴのドレイン、ソース、ゲートは、それぞれゲー卜制御線Ｇ_ｎ、所定の電源線、反転された選択線Ｃ_ｌ’に結合されて」いるところ、引用発明の「反転された選択線Ｃ_ｌ’」からの信号は、本願発明の「反転スイッチング信号」に相当し、「所定の電源線（ＶＥＥ）」の電圧レベルが、本願発明の「第１の電圧レベル」に相当するといえるから、
ａ．引用発明における接地ＴＦＴの「ドレイン」及び「ソース」は、それぞれ、本願発明における第２のスイッチの各々が有する「第３端部」及び「第４端部」に相当し、
ｂ．引用発明は、本願発明の「前記第２のスイッチの各々は、反転スイッチング信号を受け取るための第３端部と第４端部とを有し」、及び「前記第２のスイッチの各々の第３端部は、対応する前記第１のスイッチの前記第２端部に一対一で接続され、前記第２のスイッチの各々の前記第４端部は第１の電圧レベルに接続され」との特定事項を備える。
　そして、引用発明のマルチプレクサの回路の動作において、Ｃ_ｌ’は、接地ＴＦＴ（本願発明の「第２のスイッチ」）のゲートに結合して、接地ＴＦＴのドレインとソース間を接続することによって、「選択されないグループ内の全てのゲート制御線は、電源線ＶＥＥに接続される」ようスイッチするものであると認められるから、
ｃ．引用発明は、本願発明の「前記反転スイッチング信号は、前記第３端部と前記第４端部との間の電気的接続部をオンまたはオフする」との特定事項を備える。
　
　以上によれば、本願発明と引用発明のマルチプレクサとは、
「　ゲート線に適合され、複数のサブゲート線をスイッチングするためのＬＣＤのゲートスイッチ装置であって、
　複数の第１のスイッチと、複数の第２のスイッチとを備え、
　前記第１のスイッチの各々は、スイッチング信号を受け取るための第１端部と第２端部とを有し、
　前記第１のスイッチの各々の前記第１端部は前記ゲート線に接続され、前記第１のスイッチの各々の前記第２端部は、対応する前記サブゲート線に一対一で接続され、
　前記スイッチング信号は、前記第１端部と前記第２端部との電気的接続部をオンまたはオフし、
　前記第２のスイッチの各々は、反転スイッチング信号を受け取るための第３端部と第４端部とを有し、
　前記第２のスイッチの各々の第３端部は、対応する前記第１のスイッチの前記第２端部に一対一で接続され、前記第２のスイッチの各々の前記第４端部は第１の電圧レベルに接続され、
　前記反転スイッチング信号は、前記第３端部と前記第４端部との間の電気的接続部をオンまたはオフする、ＬＣＤのゲートスイッチ装置。」
である点で一致し、両者の間に差異はない。
　
　よって、本願発明は、引用刊行物に記載された発明である。
　
５　請求人の主張について
　請求人は、審判請求書の「【請求の理由】（４）特許法第２９条第１項第３号について」において、
「 　本願に係る請求項１の発明では、ゲート線Ｇ１〜Ｇｎは第１のスイッチＴ１〜Ｔｍの第１端部に接続され、サブゲート線Ｌ１，Ｌ２，…，Ｌｍは第１のスイッチＴ１〜Ｔｍの第２端部に接続され、
第１のスイッチＴ１〜Ｔｍは異なる（共通でない）スイッチング信号ＯＥ１〜ＯＥｍによって制御され
 　また、第２のスイッチＴＧ１〜ＴＧｍの第３端部は第１のスイッチＴ１〜Ｔｍの第２端部に接続され、第２のスイッチＴＧ１〜ＴＧｍの第４端部は第１の電圧レベル（ＶＥＥ）に接続され、
第２のスイッチは、異なる（共通でない）反転スイッチング信号ＯＥ１１〜ＯＥ１ｍによって制御され
 　一方、引用文献１の発明では、図４を参照すると、駆動線Ｄ_１〜Ｄ_Ｋ（本願のゲート線に相当）が伝送ＴＦＴ ＴＴ_ｌ〜ＴＴ_Ｋ（本願の第１のスイッチに相当）のドレイン端子（本願の第１端部に相当）に接続され、ゲート制御線Ｇ_１〜Ｇ_Ｋ（本願のサブゲート線に相当）が伝送ＴＦＴ ＴＴ_ｌ〜ＴＴ_Ｋ（本願の第１のスイッチに相当）のソース端子（本願の第２端部に相当）に接続されている点は同様でありますが、伝送ＴＦＴ ＴＴ_ｌ〜ＴＴ_Ｋのゲート端子が共通の選択線Ｃ_１（本願のスイッチング信号の信号線に相当）によって制御されている点が異なっております。 
 　また、接地ＴＦＴ ＴＧ_１〜ＴＧ_Ｋ（本願の第２のスイッチに相当）のドレイン端子（本願の第３端部に相当）が第１のスイッチＴＴ_ｌ〜ＴＴ_Ｋのソース端子（本願の第２端部に相当）に接続され、接地ＴＦＴ ＴＧ_１〜ＴＧ_Ｋ（本願の第２のスイッチに相当）のソース端子（本願の第４端部に相当）がＶＥＥ（本願の第１の電圧レベルに相当）に接続されている点は同様でありますが、接地ＴＦＴ ＴＧ_１〜ＴＧ_Ｋのゲート端子が共通の反転選択線Ｃ_１’（本願の反転スイッチング信号の信号線に相当）によって制御されている点が異なっております。 
 　要約すれば、
本願に係る請求項１の発明では、
第１のスイッチの通電状態は別々のスイッチング信号ＯＥ１〜ＯＥｍによって制御され、第２のスイッチは別々の反転スイッチング信号ＯＥ１１〜ＯＥ１ｍによって制御されております
 　しかしながら、引用文献１の発明では、駆動線Ｄ_１〜Ｄ_Ｋ（本願のゲート線に相当）は伝送ＴＦＴ ＴＴ_ｌ〜ＴＴ_Ｋ（本願の第１のスイッチに相当）を経由してゲート制御線Ｇ_１〜Ｇ_Ｋ（本願のサブゲート線に相当）に切り替えられている点は同様でありますが、伝送ＴＦＴ ＴＴ_１〜ＴＴ_Ｋは同じ（共通の）選択線Ｃ_１（本願のスイッチング信号の信号線に相当）によって制御されております。 
 　また、接地ＴＦＴ ＴＧ_１〜ＴＧ_Ｋ（本願の第２のスイッチに相当）についても同様に同じ（共通の）反転選択線Ｃ_１’（本願の反転スイッチング信号の信号線に相当）によって制御されております。 
 　従いまして、本願に係る請求項１の発明の構成と、引用文献１に係る発明の構成（図４の構成）とは互いに異なっております。 」
と主張する（下線は審決で付した。）。
　しかしながら、本願発明（請求項１に係る発明）は、上記２のとおりであって、上記主張における「第１のスイッチＴ１〜Ｔｍは異なる（共通でない）スイッチング信号ＯＥ１〜ＯＥｍによって制御され」ること、及び「第２のスイッチは、異なる（共通でない）反転スイッチング信号ＯＥ１１〜ＯＥ１ｍによって制御され」ることは、いずれも本願発明が特定事項として備える事項ではない。
　したがって、請求人の主張は、本願発明に基づくものではなく、採用できない。
　そして、本願発明と引用発明とに、発明を特定する事項上の差異がないことは、上記４に示したとおりである。
　
６　むすび
　以上の検討によれば、本願発明は、引用刊行物に記載された発明であるから、特許法第２９条第１項第３号に該当し、特許を受けることができない。
　
　よって、結論のとおり審決する。